(57)【要約】【課題】ステッピングモーターなどのコイル軸の端子台をコイル巻き線作業の支障を来たさない構造とする。【解決手段】モーター回転子を内部に収容する絶縁コイル台１０を絶縁コイル軸１１と端子台１２に分離し、両者を鳩尾座１１３、鳩尾溝１２２の嵌合により結合する。  絶縁コイル軸１１の絶縁コイルエリア１１１にコイルを巻く際には端子台を分離した状態で巻線作業を行い、その終了後上記嵌合構造により端子台１２を絶縁コイル軸１１に結合する。絶縁コイル巻き作業中は、占有面積の大きい端子台がないため、コイル巻き作業をスムーズに行うことができる。【選択図】  図１
0003126892.tif 000002
【実用新案登録請求の範囲】
【請求項１】
モーターの回転子を収容する円筒状の絶縁コイル軸を備えた絶縁コイル台において、
絶縁コイル台をそれぞれ嵌合構造からなる第一結合部及び第二結合部を備えた絶縁コイル軸と端子台から構成し、
該絶縁コイル軸と端子台とを分離した状態で絶縁コイル軸のコイル巻き線作業を可能としたことを特徴とする、
モーター端子台。
【請求項２】
駆動軸セットと絶縁コイル台セットからなるモーターであって、
該駆動軸セットは回転子を備えて、該回転子は円筒状の絶縁コイル軸内に収容配置される構成において、
絶縁コイル台をそれぞれ嵌合構造からなる第一結合部及び第二結合部を備えた絶縁コイル軸と端子台から構成し、
該絶縁コイル軸と端子台とを分離した状態で絶縁コイル軸のコイル巻き線作業を可能としたことを特徴とする、
モーター端子台。
【請求項３】
前記第一結合部の形状を鳩尾座、前記第二結合部の形状を鳩尾溝としたことを特徴とする請求項1或は請求項2記載のモーター端子台の構造。
【請求項４】
前記第一結合部の形状を鳩尾溝、前記第二結合部の形状を鳩尾座としたことを特徴とする請求項1或は請求項2記載のモーター端子台の構造。
【請求項５】
前記モーターは、ステッピングモーターであることを特徴とする請求項1或は請求項2記載のモーター端子台の構造。
【請求項６】
前記モーターは、その外周にケースを具有することを特徴とする請求項1或は請求項2記載のモーター端子台の構造。
【考案の詳細な説明】
【技術分野】
【０００１】
本考案は、モーター端子台の構造に係り、モーター絶縁コイルの巻き線作業を更に容易くする端子台の構造に関する。
【背景技術】
【０００２】
モーターは、電流が絶縁コイル中を通電されて生じる磁場により、磁石のモーター回転子を回転させる。電流の強度及びパルスを変えることによって、モーターの回転子に必要な特定の回転速度や回転の角度をコントロールするため、モーターは基本設備の絶縁コイル、鉄心とモーター回転子のほかに、端子台を経てコイルに対してモーター回転をコントロールする電流の入力を必要とする。よって、端子台は入力をコントロールするための重要な役割を果たすものである。
【０００３】
中華民国特許番号M288913号『ステッピングモーターの直線作動装置』は、モーターが一本の棒状軸の両端にそれぞれ絶縁コイルを巻き、該コイル軸の中央に一体成型の端子台を設け、該端子台によって電流の入力をし、コイル軸の両端にある二つの絶縁コイルに電流を伝導している。
【０００４】
前記端子台は、二つの絶縁コイルに電流を伝導する端子を設けてあるため、端子台は一定の面積を要すると共に数個の接続端子を隔離する必要があり、該端子台は絶縁コイル軸の中央部に設置することとなる。このため、一定の面積を占める端子台は、必然的に絶縁コイル軸の表面を部分的に遮蔽する位置関係となるため、該絶縁コイルの巻き線作業に際して端子台の存在が作業の障害となる。従って、生産効率にマイナスの影響がある上、端子台によって隠されている部分の絶縁コイルの巻きに問題が生じやすく、製品の良品率と品質を下げるため、結果として生産性の上から問題となり、改善する必要があった。
【特許文献１】特開平１０−１９１６１５号公報
【考案の開示】
【考案が解決しようとする課題】
【０００５】
公知の端子台と絶縁コイル軸を一体化した絶縁コイル台では、絶縁コイルの巻きがスムーズにできず、生産効率と良品率を下げるなどを鑑みて、本考案は、モーター端子台がこれら製造工程上の支障とならない構造を提供することにある。
【課題を解決するための手段】
【０００６】
上述の目的を解決するために、本考案は絶縁コイル台を絶縁コイル軸と端子台に分割し、該絶縁コイル軸に絶縁コイルを巻く際に、端子台に影響されずに組立がスムーズとなる。
【０００７】
該絶縁コイル軸の外側に第一結合部を設け、該結合部の形状は鳩尾座、或は鳩尾溝を成し、該端子台は接続端子を具有するほか、第一結合部と対応する第二結合部を具有し、該第一、第二結合部を介し、絶縁コイル軸に絶縁コイルの巻き付を完成したあと、端子台を再び絶縁コイル軸と嵌合する。
【考案の効果】
【０００８】
本考案の絶縁コイル軸と端子台の設計により、絶縁コイルの巻付けと組立が便利になるため、生産効率がアップし、更に絶縁コイルの巻き不良の状況が発生するのが減少するため、品質アップにもつながる。
【考案を実施するための最良の形態】
【０００９】
本考案は、モーター端子台の構造を明確に示すために図1から図3に沿って詳細な説明を行う。説明を分かりやすくするために、モーター本体(1)はステッピングモーターの構造で説明する。
【００１０】
前記モーター端子台構造のモーター本体(1)は、絶縁コイル台セット(10)、駆動軸セット(20)及びケース本体からなる（図４参照）。
【００１１】
前記絶縁コイル台セット(10)は、絶縁コイル軸(11)及び端子台(12)からなり、該絶縁コイル軸(11)は棒状を呈して絶縁コイル軸(11)の両端にそれぞれ絶縁コイル(112)を巻き付けるための絶縁コイルエリア(111)を形成し、該絶縁コイル軸(11)の外側中央部に第一結合部(113)を形成する。該第一結合部(113)は鳩尾座の形態を呈して、端子台をセットする。該端子台は、台状を呈し、端子台の片側表面に数個の接続端子(121)を設け、電流を導通する。該端子台の他方の片側に第二結合部(122)を形成し、該第二結合部(122)は鳩尾溝の形態を呈して第一結合部(113)と嵌合する。
電流は、接続端子(121)から絶縁コイル軸(11)のコイル(112)に導通される。
【００１２】
図3及び図4に示すのは本願考案の全体構成であって、該駆動軸セット(20)は、磁石(21)、回転軸(22)から構成され、該駆動軸セット(20)は、数個の定置用リング(23)に合わせて絶縁コイル台セット(10)に組み込み、絶縁コイル台セット(10)の絶縁コイル(112)に流れる電流によって駆動軸セット(20)の回転速度と角度をコントロールし、モーター本体(1)を駆動する。該駆動軸セット(20)の構造形態と作動原理は公知のものであり、本考案の保護範囲ではないため、ここで詳細な言及をしない。
【００１３】
図3から図5に示すのは、該ケース本体は、二つの外ブタ(31)を含み、該外ブタ(31)は絶縁コイル台セット(10)の絶縁コイル軸(11)の形態に合わせて円筒型を呈し、外ブタ(31)に予め軸と平行して端子台を露出するための開口口(311)を設け、二つの外ブタ(31)が絶縁コイル台セット(10)の両端に設置される際、絶縁コイル台セット(10)の絶縁コイル(112)を内側に覆うことで、適切に保護することができ、且つ外ブタ(31)の開口口(311)より端子台接続端子(121)を露出させ、モーター本体(1)を使用する際の組立に便利となる。
【００１４】
本考案のモーター端子台構造の絶縁コイル台セット(10)の絶縁コイル軸(11)は、端子台とセパレートした設計であり、よって端子台を組み立てる前に、まず絶縁コイル(112)を絶縁コイルエリア(111)に巻き、図2に示すように、絶縁コイル(112)を巻き付けた後、該端子台を絶縁コイル軸(11)に嵌合して組立てる。したがって、該絶縁コイル(112)を巻きつけるとき、端子台が邪魔にならず、スムーズに絶縁コイル台セット(10)を完成させ、良品率と品質をアップする。
【００１５】
以上の説明は、本考案のベストな実施状態の説明であり、本考案の保護範囲を限定するものではない。よって、基本的にこの思想に基づき、修正や変更を加えるものは、全て本考案の保護範囲内とする。中でも、該第一結合部(113)を鳩尾溝の形態に、第二結合部(122)を鳩尾座の形態としても、相同な結合結果が得られる。
【図面の簡単な説明】
【００１６】
【図１】本考案の絶縁コイル台セット組立て立体略図である。
【図２】本考案の絶縁コイル台セット組立て立体略図である。
【図３】本考案のモーター端子台構造の立体分解図である。
【図４】本考案のモーター端子台構造の組み立て立体図である。
【図５】本考案のモーター端子台構造の外観立体図である。
【符号の説明】
【００１７】
１    モーター本体
10絶縁コイル台セット
11絶縁コイル軸
111絶縁コイルエリア
112絶縁コイル
113第一結合部
12端子台
121接続端子
122第二結合部
20駆動軸セット
21磁石
22回転軸
23リング
31外ブタ
311開口
【図１】
0003126892.tif 000003
【図２】
0003126892.tif 000004
【図３】
0003126892.tif 000005
【図４】
0003126892.tif 000006
【図５】
0003126892.tif 000007